(57)【要約】【課題】中古木造住宅の既存布基礎を強固に補強することでき、かつ既存布基礎の上に敷設された土台を新設布基礎に容易に固定できるようにした布基礎の補強構造を提供する。【解決手段】上端部に土台３が敷設された既存布基礎１の内側にＲＣ構造の新設布基礎２を既存布基礎１と一体に造成する。既存布基礎１と新設布基礎２との接合面に複数の差し筋８を配筋して既存布基礎１と新設布基礎２とを一体的に結合する。新設布基礎２の上端部にアンカーボルト４を所定間隔おきに突出させる。各アンカーボルト４の上端部に土台固定金物５を取り付ける。土台固定金物５を土台３の側面部にビスまたはくぎで止め付けることにより、土台３を新設布基礎２の上に側面から固定する。【選択図】図１
2011074672.tif 000002
【特許請求の範囲】
【請求項１】
上端部に土台が敷設された布基礎の補強構造において、既存布基礎の内側に既存布基礎と一体に配置されたＲＣ構造の新設基礎と、当該新設基礎の上端部に突出するアンカーボルトと、当該アンカーボルトの上端部に取り付けられ、前記土台を側面から固定する土台固定金物とを備えて構成されてなることを特徴とする布基礎の補強構造。
【請求項２】
請求項１記載の布基礎の補強構造において、既存布基礎と新設基礎との接合面に既存布基礎と新設基礎とを結合する結合部材が取り付けられていることを特徴とする布基礎の補強構造。
【請求項３】
請求項１または２記載の布基礎の補強構造において、既存布基礎の内側に新設布基礎が配置されてなることを特徴とする布基礎の補強構造。
【請求項４】
請求項１または２記載の布基礎の補強構造において、既存布基礎の内側に新設ベタ基礎が配置されてなることを特徴とする布基礎の補強構造。
【発明の詳細な説明】
【技術分野】
【０００１】
本発明は布基礎の補強構造に関し、主として中古木造住宅の既存布基礎の補強に用いられる。
【背景技術】
【０００２】
一般に、木造住宅の基礎には布基礎が用いられ、特に比較的古い中古木造住宅の布基礎には無筋コンクリートの布基礎が用いられている。また、布基礎の上に土台が敷設され、土台はアンカーボルトによって布基礎に固定されている。
【０００３】
ところで、近年、一戸建て木造住宅についても、耐震補強の必要性が広く叫ばれてきており、特に比較的古い中古木造住宅にあっては、基礎が無筋コンクリートのものが多く、耐震補強の必要性が強く望まれている。
【０００４】
また、平屋を二階建てに増築する場合などには、強度不足を補う必要から補強する必要があり、さらに、長年の経過に伴うコンクリートの劣化により強度が低下した布基礎も補強する必要がある。
【０００５】
従来、一戸建て木造住宅の既存布基礎を補強する方法としては、既存の布基礎の内側または外側にコンクリートを沿打ちする方法やコンクリートのクラック(ひび割れ)部分にエポキシ樹脂などを充填する方法が知られている。
【先行技術文献】
【特許文献】
【０００６】
【特許文献１】特開２００６−３４８５４３号公報
【特許文献２】特開２００６−３４８５４３号公報
【特許文献３】特開平１１−８１５２９号公報
【発明の開示】
【発明が解決しようとする課題】
【０００７】
しかし、前者の沿打ちコンクリートによる補強は、基礎の補強のみが目的で既存基礎の上に敷設された土台の補強にまで配慮されたものはなかった。
【０００８】
また、後者のエポキシ樹脂などの充填による方法は、軽微なクラックの場合は効果的であるが、クラックが大きい場合などには充分な補強ができないという課題があった。
【０００９】
本発明は、以上の課題を解決するためになされたもので、中古木造住宅の既存布基礎を容易に補強することでき、かつ既存布基礎の上に敷設された土台を新設基礎に強固に固定できるようにした布基礎の補強構造を提供することを目的とするものである。
【課題を解決するための手段】
【００１０】
請求項１記載の布基礎の補強構造は、上端部に土台が敷設された布基礎の補強構造において、既存布基礎の内側に既存布基礎と一体に配置されたＲＣ構造の新設基礎と、当該新設基礎の上端部に突出するアンカーボルトと、当該アンカーボルトの上端部に取り付けられ、前記土台を側面から固定する土台固定金物とを備えて構成されてなることを特徴とするものである。
【００１１】
アンカーボルトと土台固定金物は、耐力壁の両端に建て付けられた柱に近接した部分、出入口などの土台切れヶ所、さらに、土台の端部どうしを上下に重ねて継ぐ(腰掛け継ぎ等)土台継手および土台仕口ヵ所にあっては、上側の土台の端部に取り付けるのがよい。      
【００１２】
また、アンカーボルトの設置間隔は、二階建て以下の場合は２．７ｍ以内、三階建ての場合は２ｍ以内に設置するのがよい。
【００１３】
請求項２記載の布基礎の補強構造は、請求項１記載の布基礎の補強構造において、既存布基礎と新設基礎との接合面に既存布基礎と新設基礎とを結合する結合部材が取り付けられていることを特徴とするものである。結合部材には、差し筋などを用いることができる。
【００１４】
請求項３記載の布基礎の補強構造は、請求項１または２記載の布基礎の補強構造において、既存布基礎の内側に新設布基礎が配置されてなることを特徴とするものである。新設布基礎は、原則、既存布基礎の長手方向に連続して配置されているが、アンカーボルトと土台固定金物を取り付ける位置に部分的に配置することもできる。
【００１５】
請求項４記載の布基礎の補強構造は、１または２記載の布基礎の補強構造において、既存布基礎の内側に新設ベタ基礎が造成されてなることを特徴とするものである。
【発明の効果】
【００１６】
本発明によれば、既存布基礎の内側に既存布基礎と一体に配置されたＲＣ構造の新設基礎と、当該新設基礎の上端部に突出するアンカーボルトと、当該アンカーボルトの上端部に取り付けられ、前記土台を側面から固定する土台固定金物とを備えて構成されていることにより、既存布基礎を容易に補強することができる。
【００１７】
また、既存布基礎の上に敷設された土台を新設基礎に側面から固定することができることで、既存布基礎に新たにアンカーボルトを突設する等の手段を講ずることなく、新設基礎に土台を強固に固定することができる。
【図面の簡単な説明】
【００１８】
【図１】既存布基礎の補強構造の一実施形態を示し、（ａ）は既存布基礎の軸直角方向の縦断面図、（ｂ）は一部側面図である。
【図２】土台固定金物の斜視図である。
【図３】新設ベタ基礎によって補強された既存布基礎の軸直角方向の縦断面図である。
【図４】（ａ），（ｂ），（ｃ）は施工手順を示す布基礎の縦断面図である。
【図５】（ａ），（ｂ），（ｃ）は施工手順を示す布基礎の縦断面図である。
【発明を実施するための形態】
【００１９】
図１〜図３は、本発明の一実施形態を示し、図において、既存布基礎１の内側に新設布基礎２が造成されている。また、既存布基礎１の上端部に土台３が敷設され、新設布基礎２の上端部には複数のアンカーボルト４が所定間隔をおいて複数突出している。そして、各アンカーボルト４の上端部に土台固定金物５が取り付けられている。
【００２０】
新設布基礎２が接する既存布基礎１の内側面１ａは、コンクリートの表面を一部削り落とすか、あるいはコンクリートの一部を壊す等して新設布基礎２のコンクリートが一体に付着しやすいように処理されている。
【００２１】
新設布基礎２は、既存布基礎１と同様に割栗石６の上に、ＲＣ構造によって造成され、フーチング部２ａを含めて複数の基礎鉄筋７が縦横に配筋されている。また、新設布基礎２と既存布基礎１は、接合面に配筋された複数の差し筋８によって一体的に結合されている。
【００２２】
アンカーボルト４は新設布基礎２のコンクリート内に埋設され、かつ上端部が新設布基礎２の上端部に布基礎の長手方向に一定間隔おきに突出している。そして、各アンカーボルト４の上端部に土台固定金物５が取り付けられている。
【００２３】
土台固定金物５は、新設布基礎２の上端面に添え付けられたベース部５ａと、ベース部５ａの端部に土台３の側面に添って立ち上げられた固定部５ｂと、ベース部５ａと固定部５ｂの両端部間にそれぞれ形成された複数の補強リブ部５ｃとを有し、ベース部５ａのほぼ中央にアンカーボルト４の上端部が貫通する貫通孔５ｄが形成され、固定部５ｂには複数のビス孔５ｅがそれぞれ形成されている。なお、管通孔５ｄとビス孔５ｅは長孔またはルーズ孔になっている。
【００２４】
このように形成された土台固定金物５は、貫通孔５ｄにアンカーボルト４の上端部を貫通させ、その端部に固定ナット９を締め付けることにより新設布基礎２の上に固定されている。また、ビス孔５ｅから土台３の側面部にビスまたはくぎ１０を打ち込むことにより土台３を側面から固定している。
【００２５】
こうして、既存布基礎１の上に敷設された土台３は、アンカーボルト４と土台固定金物５を介して新設布基礎２に強固に固定されている。
【００２６】
図３は、本発明の他の実施形態を示し、既存布基礎１の内側に新設ベタ基礎１１が新たに造成されている。そして、新設ベタ基礎１１の上端部にアンカーボルト４の上端部が突出し、各アンカーボルト４の上端部に土台固定金物５が取り付けられている。
【００２７】
そして、既存布基礎１の上端部に敷設された土台３を、土台固定金物５とアンカーボルト４を介して新設ベタ基礎１１に側面から固定している。その他の構成は、図１〜３に図示する実施形態で説明した構成とほぼ同じである。
【００２８】
次に、図４と図５に基づいて施工方法を説明する。
【００２９】
(1) 最初に、既存布基礎１の内側面１ａを、コンクリートの表面を一部削り落とすか、あるいは内側のフーチング部を含むコンクリートの一部を壊して、後から造成する新設布基礎２のコンクリートが付着しやすいように処理する。
【００３０】
(2) 次に、既存の既存布基礎１の内側に通常の基礎・地業工事と同じ手順で、新設布基礎２のフーチング部２ａを含めて割栗石６を敷き詰め突き固めをし、その上に新設布基礎２用の基礎鉄筋７を配筋する。
【００３１】
(3) また、既存布基礎１の内側面１ａに、既存布基礎１と新設布基礎２とを一体化させるための差し筋８を配筋する。また、アンカーボルト４を設置する。なお、差し筋８の施工にはホールインアンカー(後施工アンカー)等を利用することができる。
例えば、既存布基礎１の内側面１ａにドリルで穴をあけ、差し筋８を叩き込んで固定する等の簡易な方法でもよい。また、アンカーボルト４は、基礎鉄筋７に結束線によって結束する等の方法により設置する。
【００３２】
(4) 次に、基礎鉄筋７の外側に基礎型枠(図省略)を組み立て、その中に新設布基礎２用のコンクリートを打設し、充分に養生する。
【００３３】
(5) 型枠内のコンクリートが充分に硬化したら脱型し、新設布基礎２の上に土台固定金物５を設置し、それぞれアンカーボルト４の上端部に固定ナット９を締め付けて固定する。また、土台固定金物５の固定部５ｂを土台３の側面部に添え付け、ビス孔５ｅから土台３にビスまたはくぎ１０を打ち込む。その際、土台固定金物５を新設布基礎２または土台３のいずれに先付けするかは、施工状況などによって適切に判断する。
【００３４】
以上の手順により、既存布基礎１を強固に補強することができ、また既存布基礎１の上に敷設された土台３を新設布基礎２の上に強固に固定することができる。
【産業上の利用可能性】
【００３５】
本発明は、既存の布基礎を容易に補強することでき、かつ既存布基礎の上に敷設された土台を新設基礎に強固に固定することができる。
【符号の説明】
【００３６】
１  既存布基礎
１ａ  既存布基礎の内側面
２  新設布基礎
２ａ  フーチング部
３  土台
４  アンカーボルト
５  土台固定金物
５ａ  ベース部
５ｂ  固定部
５ｃ  補強リブ
５ｄ  貫通孔
５ｅ  ビス孔
６  割栗石
７  基礎鉄筋
８  差し筋(結合部材)
９  固定ナット
１０  ビスまたはくぎ
１１  ベタ基礎
【図１】
2011074672.tif 000003
【図２】
2011074672.tif 000004
【図３】
2011074672.tif 000005
【図４】
2011074672.tif 000006
【図５】
2011074672.tif 000007